(57)【要約】【課題】見出し画及び本編画像を容易に管理でき、かつ、誤って見出し画を放送することを防止することが可能な映像収録再生装置及び映像収録再生方法を提供する。【解決手段】映像収録再生装置１０は、指示受信部１５における一般の録画操作が行われた場合、撮影された映像を内蔵記録媒体１２又はリムーバブル記録媒体３０における本編映像記録用のフォルダに記録する。一方、指示受信部１５において第１の指定ボタン群が押された場合、撮影された映像を記録媒体１２又は３０の見出し画記録用の専用フォルダに記録するようにしている。これにより、第１の指定ボタン群が押された場合にのみ、映像ファイルを見出し画用のフォルダに記録することが可能となる。【選択図】      図２
2010206783.tif 000002
【特許請求の範囲】
【請求項１】
符号化された映像データをランダムアクセス可能な記録媒体へ書き込む書込み部と、
複数の釦を備え、ユーザが前記複数の釦のうち少なくとも一つの第１の釦を押した場合には第１の指示を生成し、ユーザが前記複数の釦のうち少なくとも一つの第２の釦を押した場合には第２の指示を生成する指示受信部と、
前記第１の指示に応じ、前記書込み部が前記映像データを前記記録媒体に作成される第１のファイル種別へ所属させて書き込むように制御し、前記第２の指示に応じ、前記書き込み部が前記映像データを前記記録媒体に作成される第２のファイル種別へ所属させて書き込むように制御する制御部と
を具備することを特徴とする映像収録再生装置。
【請求項２】
前記記録媒体に書き込まれた映像データを読み出す読出し部をさらに備え、
前記指示受信部は、ユーザが前記複数の釦のうち少なくとも一つの第３の釦を押した場合には第３の指示を生成し、ユーザが前記複数の釦のうち少なくとも一つの第４の釦を押した場合には第４の指示を生成し、
前記制御部は、前記第３の指示に応じ、前記読出し部が前記記録媒体の第１のファイル種別から前記映像データを読み出すように制御し、前記第４の指示に応じ、前記読出し部が前記記録媒体の第２のファイル種別から前記映像データを読み出すように制御することを特徴とする請求項１記載の映像収録再生装置。
【請求項３】
前記第１のファイル種別には、本編に係る映像データが所属し、
前記第２のファイル種別には、本編のタイトルを含む見出し画に係る映像データが所属することを特徴とする請求項１又は２記載の映像収録再生装置。
【請求項４】
前記第２の釦は、前記指示受信部における予め設定された複数の釦であることを特徴とする請求項１記載の映像収録再生装置。
【請求項５】
前記第１の釦は、録画釦及び再生釦であり、
前記予め設定された複数の釦は、前記録画釦、前記再生釦及び停止釦であることを特徴とする請求項４記載の映像収録再生装置。
【請求項６】
前記第２の釦は、単一の専用釦であることを特徴とする請求項１記載の映像収録再生装置。
【請求項７】
前記第４の釦は、前記指示受信部において予め設定された複数の釦であることを特徴とする請求項２記載の映像収録再生装置。
【請求項８】
前記第３の釦は、再生釦であり、
前記第４の釦は、前記再生釦と停止釦とであることを特徴とする請求項７記載の映像収録再生装置。
【請求項９】
前記第４の釦は、単一の専用釦であることを特徴とする請求項２記載の映像収録再生装置。
【請求項１０】
符号化された映像データをランダムアクセス可能な記録媒体へ書き込む書込み部と、複数の釦を備える指示受信部とを具備する映像収録再生装置に用いられる映像収録再生方法であって、
ユーザが前記複数の釦のうち少なくとも一つの第１の釦を押した場合には第１の指示を生成し、
前記第１の指示に応じ、前記書込み部に、前記映像データを前記記録媒体に作成される第１のファイル種別へ所属させて書き込ませ、
ユーザが前記複数の釦のうち少なくとも一つの第２の釦を押した場合には第２の指示を生成し、
前記第２の指示に応じ、前記書込み部に、前記映像データを前記記録媒体に作成される第２のファイル種別へ所属させて書き込ませることを特徴とする映像収録再生方法。
【請求項１１】
ユーザが前記複数の釦のうち少なくとも一つの第３の釦を押した場合には第３の指示を生成し、
前記第３の指示に応じ、前記記録媒体の第１のファイル種別から前記映像データを読み出し、
ユーザが前記複数の釦のうち少なくとも一つの第４の釦を押した場合には第４の指示を生成し、
前記第４の指示に応じ、前記記録媒体の第２のファイル種別から前記映像データを読み出すことを特徴とする請求項１０記載の映像収録再生方法。
【請求項１２】
前記第１のファイル種別には、本編に係る映像データが所属し、
前記第２のファイル種別には、本編のタイトルを含む見出し画に係る映像データが所属することを特徴とする請求項１０又は１１記載の映像収録再生方法。
【請求項１３】
前記第２の釦は、前記指示受信部における予め設定された複数の釦であることを特徴とする請求項１０記載の映像収録再生方法。
【請求項１４】
前記第１の釦は、録画釦であり、
前記予め設定された複数の釦は、前記録画釦、再生釦及び停止釦であることを特徴とする請求項１３記載の映像収録再生方法。
【請求項１５】
前記第２の釦は、単一の専用釦であることを特徴とする請求項１０記載の映像収録再生方法。
【請求項１６】
前記第４の釦は、前記指示受信部において予め設定された複数の釦であることを特徴とする請求項１１記載の映像収録再生方法。
【請求項１７】
前記第３の釦は、再生釦であり、
前記第４の釦は、前記再生釦と停止釦とであることを特徴とする請求項１６記載の映像収録再生方法。
【請求項１８】
前記第４の釦は、単一の専用釦であることを特徴とする請求項１１記載の映像収録再生方法。
【発明の詳細な説明】
【技術分野】
【０００１】
この発明は、例えばカメラ等の映像取得手段で取得された映像を、半導体記録媒体に収録し、又はこの半導体記録媒体に収録された映像を再生する映像収録再生装置及び映像収録再生方法に関する。
【背景技術】
【０００２】
従来のＶＴＲ装置では、テープメディアに収録された映像を確認するために本編映像の前に本編映像のタイトルロゴやその他番組情報等を記した静止画(以後、見出し画と称する)を記録する場合がある。また、従来のＶＴＲ装置では、テープメディアに収録された映像を、他のテープに収録された映像と区別するために本編映像の前に見出し画を記録する場合がある。こうすることで、テープメディアの先頭部分を再生すれば、視覚的にそのテープの内容が判断できるので有用である。
【０００３】
一方で、見出し画は本編映像ではないので放送してはならない部分である。しかし、見出し画と本編映像とは、同一のテープに連続して記録されているため、同一の再生処理により放送可能である。そのため、緊急の放送等の場合、本編映像を放送するつもりで誤って見出し画を放送してしまうという問題があった。
【０００４】
なお、特許文献１及び特許文献２では、タイトル画像ファイルと撮影画像ファイルとを別々のフォルダで管理することで、タイトル画像ファイルであるか撮影画像ファイルであるかを容易に区別することが可能な装置が提案されている。しかしながら、特許文献１及び特許文献２では、ファイルを容易に区別することが可能であっても、見出し画を誤って放送してしまうことへの対策については記載されていない。
【先行技術文献】
【特許文献】
【０００５】
【特許文献１】特開２００２−４１３４３号公報
【特許文献２】特開２００４−１５８９４３号公報
【発明の概要】
【発明が解決しようとする課題】
【０００６】
以上のように、従来のＶＴＲ装置では同一のテープメディアに見出し画及び本編映像を記録していたため、本編映像を放送するつもりで誤って見出し画を放送してしまう場合があった。
【０００７】
この発明は上記事情によりなされたもので、その目的は、見出し画及び本編画像を容易に管理でき、かつ、誤って見出し画を放送することを防止することが可能な映像収録再生装置及び映像収録再生方法を提供することにある。
【課題を解決するための手段】
【０００８】
上記目的を達成するため、本発明に係る映像収録再生装置は、符号化された映像データをランダムアクセス可能な記録媒体へ書き込む書込み部と、複数の釦を備え、ユーザが前記複数の釦のうち少なくとも一つの第１の釦を押した場合には第１の指示を生成し、ユーザが前記複数の釦のうち少なくとも一つの第２の釦を押した場合には第２の指示を生成する指示受信部と、前記第１の指示に応じ、前記書込み部が前記映像データを前記記録媒体に作成される第１のファイル種別へ所属させて書き込むように制御し、前記第２の指示に応じ、前記書き込み部が前記映像データを前記記録媒体に作成される第２のファイル種別へ所属させて書き込むように制御する制御部とを具備する。
【０００９】
上記構成による映像収録再生装置では、指示受信部における第１の釦が押されると、映像データを第１のファイル種別に所属させて記録媒体へ書き込む。一方、指示受信部における第２の釦が押された場合、映像データを第２のファイル種別に所属させて記録媒体へ書き込む。これにより、押された釦に応じたファイル種別へ、映像データを所属させて書き込むことが可能となる。
【００１０】
さらに、本発明に係る映像収録再生装置は、前記記録媒体に書き込まれた映像データを読み出す読出し部をさらに備え、前記指示受信部は、ユーザが前記複数の釦のうち少なくとも一つの第３の釦を押した場合には第３の指示を生成し、ユーザが前記複数の釦のうち少なくとも一つの第４の釦を押した場合には第４の指示を生成し、前記制御部は、前記第３の指示に応じ、前記読出し部が前記記録媒体の第１のファイル種別から前記映像データを読み出すように制御し、前記第４の指示に応じ、前記読出し部が前記記録媒体の第２のファイル種別から前記映像データを読み出すように制御することを特徴とする。
【００１１】
上記構成による映像収録再生装置では、指示受信部における第３の釦が押されると、第１のファイル種別に所属する映像データを読み出す。一方、指示受信部における第４の釦が押された場合、第２のファイル種別に所属する映像データを読み出すようにしている。これにより、押された釦に応じたファイル種別から、映像データを読み出すことが可能となる。
【００１２】
また、本発明に係る映像収録再生方法は、符号化された映像データをランダムアクセス可能な記録媒体へ書き込む書込み部と、複数の釦を備える指示受信部とを具備する映像収録再生装置に用いられる映像収録再生方法であって、ユーザが前記複数の釦のうち少なくとも一つの第１の釦を押した場合には第１の指示を生成し、前記第１の指示に応じ、前記書込み部に、前記映像データを前記記録媒体に作成される第１のファイル種別へ所属させて書き込ませ、ユーザが前記複数の釦のうち少なくとも一つの第２の釦を押した場合には第２の指示を生成し、前記第２の指示に応じ、前記書込み部に、前記映像データを前記記録媒体に作成される第２のファイル種別へ所属させて書き込ませることを特徴とする。
【００１３】
上記映像収録再生方法では、指示受信部における第１の釦が押されると、映像データを第１のファイル種別に所属させて記録媒体へ書き込む。一方、指示受信部における第２の釦が押された場合、映像データを第２のファイル種別に所属させて記録媒体へ書き込む。これにより、押された釦に応じたファイル種別へ、映像データを所属させて書き込むことが可能となる。
【００１４】
さらに、本発明に係る映像収録再生方法は、ユーザが前記複数の釦のうち少なくとも一つの第３の釦を押した場合には第３の指示を生成し、前記第３の指示に応じ、前記記録媒体の第１のファイル種別から前記映像データを読み出し、ユーザが前記複数の釦のうち少なくとも一つの第４の釦を押した場合には第４の指示を生成し、前記第４の指示に応じ、前記記録媒体の第２のファイル種別から前記映像データを読み出すことを特徴とする。
【００１５】
上記映像収録再生方法では、指示受信部における第３の釦が押されると、第１のファイル種別に所属する映像データを読み出す。一方、指示受信部における第４の釦が押された場合、第２のファイル種別に所属する映像データを読み出すようにしている。これにより、押された釦に応じたファイル種別から、映像データを読み出すことが可能となる。
【発明の効果】
【００１６】
この発明によれば、見出し画及び本編画像を容易に管理でき、かつ、誤って見出し画を放送することを防止することが可能な映像収録再生装置及び映像収録再生方法を提供することができる。
【図面の簡単な説明】
【００１７】
【図１】本発明の一実施形態に係る映像収録再生装置の図である。
【図２】図１の映像収録再生装置の機能構成を示すブロック図である。
【図３】撮影された映像を図２の内蔵記録媒体に収録する際の制御部の処理動作を示すフローチャートである。
【図４】図２の内蔵記録媒体に記録された映像ファイルを再生する際の制御部の処理動作を示すフローチャートである。
【図５】図１の映像収録再生装置のその他の例を示すブロック図である。
【発明を実施するための形態】
【００１８】
以下、図面を参照しながら本発明の実施の形態について詳細に説明する。
【００１９】
図１は、本発明の一実施形態に係る映像処理装置の概観図である。図１における映像収録再生装置１０は、カメラ２０と接続する。映像収録再生装置１０は、カメラ２０により撮影された映像を取り込む。リムーバブル記録媒体３０及び内蔵記録媒体１２のうち少なくともいずれかは、取り込まれた映像を記録する。リムーバブル記録媒体３０は、挿入口１１に挿入される。内蔵記録媒体１２は、装置本体に内蔵された記録媒体である。
【００２０】
リムーバブル記録媒体３０及び内蔵記録媒体１２には、例えばフラッシュメモリ等のランダムアクセス可能な不揮発性半導体メモリが用いられる。フラッシュメモリは、書き換え可能な不揮発性半導体メモリであり、高速ランダムアクセス性という利点がある。また、フラッシュメモリは、テープや光ディスクドライブとは異なり、機械的な可動部を持たないため耐振動性などに優れている。
【００２１】
映像収録再生装置１０の本体前面パネルには、表示部１４及び指示受信部１５が設けられる。
【００２２】
表示部１４は、例えば、ＬＣＤ（Liquid Crystal Display）で構成される。表示部１４は、例えば、リムーバブル記録媒体３０又は内蔵記録媒体１２に記録された映像ファイルを表示する。
【００２３】
指示受信部１５は、録画ボタン、停止ボタン及び再生ボタンと、ダイヤルとを備える。ユーザはこれらのボタン及びダイヤルを操作する。指示受信部１５は、ボタン及びダイヤルの操作を介して、ユーザからの収録処理及び再生処理等の実行指示を受信する。
【００２４】
図２は、本発明の一実施形態に係る映像収録再生装置１０の機能構成を示すブロック図である。映像収録再生装置１０において、入力部１６は、カメラ２０で撮影された映像を受け取る。エンコーダ１７は、入力部１６から入力された映像を既定のコードに従ってエンコードする。
【００２５】
リムーバブル記録媒体インタフェース１８は、リムーバブル記録媒体３０と接続する。インタフェース１８は、撮影された映像をリムーバブル記録媒体３０へ収録する場合、エンコーダ１７でエンコードされた映像ファイルを、後述する制御部１９の指示に従ってリムーバブル記録媒体３０に書き込む。ここで、リムーバブル記録媒体３０では、映像ファイルを「フォルダ」（ディレクトリ又はビン等とも称される）と称されるファイル種別に所属させるようにしている。本実施形態では、少なくとも２つのフォルダが予め作成されている。インタフェース１８により書き込まれた映像ファイルは、制御部１９の指示に従い、２つのフォルダのいずれかに所属することとなる。
【００２６】
また、インタフェース１８は、映像を再生する場合、制御部１９の指示に従い、リムーバブル記録媒体３０における２つのフォルダのいずれかに所属する映像ファイルを読み出す。インタフェース１８は、読み出した映像ファイルをデコーダ１１０へ出力する。
【００２７】
内蔵記録媒体インタフェース１１１は、内蔵記録媒体１２と接続する。インタフェース１１１は、撮影された映像を内蔵記録媒体１２へ収録する場合、エンコーダ１７でエンコードされた映像ファイルを、後述する制御部１９の指示に従って内蔵記録媒体１２に書き込む。ここで、内蔵記録媒体１２にも、少なくとも２つのフォルダが予め作成されている。インタフェース１１１により書き込まれた映像ファイルは、制御部１９の指示に従い、２つのフォルダのいずれかに所属することとなる。
【００２８】
また、インタフェース１１１は、映像を再生する場合、制御部１９の指示に従って内蔵記録媒体１２における２つのフォルダのいずれかに所属する映像ファイルを読み出す。インタフェース１１１は、読み出した映像ファイルをデコーダ１１０へ出力する。
【００２９】
デコーダ１１０は、記録媒体１２，３０から読み出された映像ファイルをデコードし、表示部１４又は出力部１１２へ出力する。これにより、表示部１４は映像を表示する。また、外部モニタ４０は、出力部１１２を介して映像を受け取り、受け取った映像を表示する。
【００３０】
制御部１９は、マイクロプロセッサ等のＣＰＵ（Central Processing Unit）から成る。制御部１９は、指示受信部１５で受信された指示に基づいて映像収録再生装置１０の構成要素の動作を制御する。具体的な動作は、図３及び図４に示すフローチャートを用いて説明する。なお、内蔵記録媒体１２に対する処理とリムーバブル記録媒体３０に対する処理とは同一であるため、図３及び図４では、内蔵記録媒体１２に対する処理を説明する。
【００３１】
図３は、映像を内蔵記録媒体１２に収録する際の制御部１９の処理動作を示すフローチャートである。内蔵記録媒体１２には、フォルダ１及びフォルダ９９９の２つのフォルダが予め作成されていることとする。また、以下の説明では、指示受信部１５における録画ボタン及び再生ボタンが押された場合、制御部１９に対して本編映像を収録する旨の指示が与えられる。一方、指示受信部１５において予め定められた第１の指定ボタン群（例えば、録画ボタン、再生ボタン及び停止ボタン）が同時に押された場合、制御部１９に対して見出し画を収録する旨の指示が与えられる。ここで、見出し画とは、本編映像のタイトルロゴやその他番組情報等を記した静止画である。
【００３２】
まず、制御部１９は、指示受信部１５で指示が受信されたか否かを判断する（ステップ３１）。制御部１９は、指示受信部１５で指示が受信された場合（ステップ３１のＹｅｓ）、その指示が見出し画を収録する旨の指示であるか否かを判断する（ステップ３２）。制御部１９は、指示受信部１５からの指示が見出し画を収録する旨の指示である場合（ステップ３２のＹｅｓ）、インタフェース１１１に対して、映像ファイルを内蔵記録媒体１２のフォルダ９９９に所属させて記録するように指示を出し（ステップ３３）、処理を終了する。
【００３３】
制御部１９は、指示受信部１５からの指示が見出し画を収録する旨の指示でない場合（ステップ３２のＮｏ）、指示が本編映像を収録する旨の指示であるか否かを判断する（ステップ３４）。制御部１９は、指示受信部１５からの指示が本編映像を収録する旨の指示である場合（ステップ３４のＹｅｓ）、インタフェース１１１に対して、映像ファイルを内蔵記録媒体１２のフォルダ１に所属させて記録するように指示を出し（ステップ３５）、処理を終了する。制御部１９は、指示受信部１５からの指示が本編映像を収録する旨の指示でない場合（ステップ３４のＮｏ）、処理を終了する。
【００３４】
これにより、第１の指定ボタン群を押されて収録された映像は、見出し画記録用の専用フォルダであるフォルダ９９９のファイル００１として記録される。また、録画ボタン及び再生ボタンが押されて収録された映像は、本編映像記録用のフォルダ１のファイル００１として記録される。
【００３５】
図４は、内蔵記録媒体１２に記録された映像ファイルを再生する際の制御部１９の処理動作を示すフローチャートである。以下の説明では、指示受信部１５における再生ボタンが押された場合、制御部１９に対して本編映像を再生する旨の指示が与えられる。一方、指示受信部１５において予め定められた第２の指定ボタン群（例えば、再生ボタン及び停止ボタン）が同時に押された場合、制御部１９に対して見出し画を再生する旨の指示が与えられる。
【００３６】
まず、制御部１９は、指示受信部１５で指示が受信されたか否かを判断する（ステップ４１）。制御部１９は、指示受信部１５で指示が受信された場合（ステップ４１のＹｅｓ）、その指示が見出し画を再生する旨の指示であるか否かを判断する（ステップ４２）。制御部１９は、指示受信部１５からの指示が見出し画を再生する旨の指示である場合（ステップ４２のＹｅｓ）、インタフェース１１１に対して、フォルダ９９９に所属する映像ファイルを読み出すように指示を出し（ステップ４３）、処理を終了する。
【００３７】
制御部１９は、指示受信部１５からの指示が見出し画を再生する旨の指示でない場合（ステップ４２のＮｏ）、指示が本編映像を再生する旨の指示であるか否かを判断する（ステップ４４）。制御部１９は、指示受信部１５からの指示が本編映像を再生する旨の指示である場合（ステップ４４のＹｅｓ）、インタフェース１１１に対して、フォルダ１に所属する映像ファイルを読み出すように指示を出し（ステップ４５）、処理を終了する。制御部１９は、指示受信部１５からの指示が本編映像を再生する旨の指示でない場合（ステップ４４のＮｏ）、処理を終了する。
【００３８】
これにより、第２の指定ボタン群が押された場合、見出し画記録用のフォルダ９９９のファイル００１が読み出され、表示部１４又は外部モニタ４０に見出し画が表示される。また、再生ボタンが押された場合、本編映像記録用のフォルダ１のファイル００１が読み出され、表示部１４又は外部モニタ４０に本編映像が表示される。
【００３９】
以上のように、上記一実施形態では、映像収録再生装置１０は、指示受信部１５における録画ボタンと再生ボタンとが押された場合、撮影された映像を本編映像記録用のフォルダに記録する。一方、指示受信部１５において第１の指定ボタン群が押された場合、撮影された映像を見出し画記録用の専用フォルダに記録するようにしている。これにより、映像収録再生装置１０は、第１の指定ボタン群が押された場合にのみ、映像ファイルを見出し画用のフォルダに記録することが可能となる。また、映像収録再生装置１０は、第１の指定ボタン群を押して本編映像のタイトルロゴやその他番組情報等を記した静止画を撮影すれば、複雑な操作をせずとも見出し画を収録することが可能となる。
【００４０】
また、上記一実施形態では、映像収録再生装置１０は、指示受信部１５における再生ボタンが押された場合、本編映像記録用のフォルダから映像ファイルを読み出す。一方、指示受信部１５において第２の指定ボタン群が押された場合、見出し画記録用の専用フォルダから映像ファイルを読み出すようにしている。これにより、映像収録再生装置１０は、第２の指定ボタン群が押された場合にのみ、見出し画用のフォルダから映像ファイルを読み出すことが可能となる。つまり、本編映像の再生とは操作が異なるため、本編映像と間違えて見出し画を再生することを防止することが可能となる。
【００４１】
したがって、本発明に係る映像処理装置及び映像収録再生方法は、見出し画及び本編画像を容易に管理でき、かつ、誤って見出し画を放送することを防止することができる。
【００４２】
なお、この発明は上記一実施形態に限定されるものではない。例えば、上記実施形態では、内蔵記録媒体１２における２つのフォルダとしてフォルダ１及びフォルダ９９９としているが、フォルダの番号はこれらに限定される訳ではない。本実施形態において、見出し画用フォルダの番号を「９９９」としたのは、フォルダ９９９は、普段使用される頻度が比較的少ないフォルダであるからである。また、本編映像用フォルダであるフォルダ１との番号の違いをより鮮明にするためである。
【００４３】
また、上記実施形態では、第１の指定ボタン群を録画ボタン、再生ボタン及び停止ボタンとして、これらが同時に押された場合、制御部１９に対して見出し画を収録する旨の指示が与えられる例について説明したが、第１の指定ボタン群はこれらに限定される訳ではない。また、同様に第２の指定ボタン群も上述されている再生ボタン及び停止ボタンの同時押しに限定される訳ではない。
【００４４】
また、上記実施形態では、指示受信部１５におけるボタンが、録画ボタン、再生ボタン及び停止ボタンの３つである例について説明したが、本発明に係る指示受信部１５のボタンの数は、３つに限定される訳ではない。例えば、指示受信部１５に見出し画収録用の専用ボタンを設置し、見出し画を収録する際にこのボタンを押すようにしてもよい。また、指示受信部１５に見出し画再生用の専用ボタンを設置し、見出し画を再生する際にこのボタンを押すようにしてもよい。
【００４５】
また、上記実施形態では、内蔵記録媒体１２に、１つの見出し画用の映像ファイルと１つの本編映像用の映像ファイルとが記録されている際に、いずれかの映像ファイルを再生する場合について説明したが、内蔵記録媒体１２に記録されている映像ファイルの数は、見出し画用と本編映像用とでそれぞれ１つずつである必要はない。例えば、見出し画用の映像ファイルと本編映像用の映像ファイルとが記録媒体１２，３０に複数個ずつ記録されていても同様に実施可能である。この場合、表示部１４又は外部モニタ４０に各本編映像の代表画であるサムネイル画像を複数表示させる。そして、これらの複数のサムネイル画像のうちいずれかを選択して見出し画又は本編映像を再生させるようにしてもよい。なお、このようにサムネイル画像を選択して見出し画を表示させることができると、表示部１４又は外部モニタ４０に表示される複数のサムネイル画像が同一である場合に有効である。
【００４６】
また、上記実施形態では、映像収録再生装置１０が装置内部に内蔵記録媒体１２を備える例について説明したが、映像収録再生装置１０は、必ずしも内蔵記録媒体１２を備える必要はない。例えば、映像収録再生装置１０は、図５に示すように、外部記録媒体インタフェース１１３を備え、例えばＵＳＢケーブル等により外部記録媒体５０と接続される場合であっても同様に実施可能である。
【００４７】
さらに、この発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００４８】
１０…映像収録再生装置
１１…挿入口
１２…内蔵記録媒体
１４…表示部
１５…指示受信部
１６…入力部
１７…エンコーダ
１８…リムーバブル記録媒体インタフェース
１９…制御部
１１０…デコーダ
１１１…内蔵記録媒体インタフェース
１１２…出力部
１１３…外部記録媒体インタフェース
２０…カメラ
３０…リムーバブル記録媒体
４０…外部モニタ
【図１】
2010206783.tif 000003
【図２】
2010206783.tif 000004
【図３】
2010206783.tif 000005
【図４】
2010206783.tif 000006
【図５】
2010206783.tif 000007